(57)【要約】【課題】  複数枚のパネルを継手を介して折畳み出来るように連結し、降下して下枠に接することがないようにした折畳み式扉装置の提供。【解決手段】  下枠６に形成したガイド溝７に沿って移動するスライダー１を継手部材の下端に取付け、該スライダー１は基台下面に２個のガイドローラ３ａ，３ｂを回転出来るように軸支すると共にガイドローラはガイド溝７に遊嵌し、そしてガイドローラの間には外径を小さくした支持ローラ４を回転可能に軸支し、上記ガイド溝７の底部片側コーナーには上記スライダー１が降下した際に支持ローラ４の外周が接することが出来る支持縁８を設けている。【選択図】    図３
2016030946.tif 000002
【特許請求の範囲】
【請求項１】
複数枚のパネルを継手を介して折畳み出来るように連結して成る折畳み式扉装置において、下枠に形成したガイド溝に沿って移動するスライダーを継手部材の下端に取付け、該スライダーは基台下面に複数個のガイドローラを回転出来るように軸支すると共にガイドローラはガイド溝に遊嵌し、そしてガイドローラの間には外径を小さくした支持ローラを回転可能に軸支し、上記ガイド溝の底部片側コーナーには上記スライダーが降下した際に支持ローラの外周が接して支持することが出来る支持縁を設けたことを特徴とする折畳み式扉装置。
【請求項２】
上記基台に２個のガイドローラを軸支し、両ガイドローラの間に支持ローラを軸支した請求項１記載の折畳み式扉装置。
【発明の詳細な説明】
【技術分野】
【０００１】
本発明は折畳み式扉が降下しても、下枠に接して開閉操作に支障をきたすことのない折畳み式扉装置に関するものである。
【背景技術】
【０００２】
図４は折畳み式扉（折畳み式カーテン）の外観図をしめし、（ａ）は折畳み式扉が伸長して間口を閉じている場合、（ｂ）は折畳み式扉が折畳まれて間口を開口している場合を表している。折畳み式扉（イ）は複数枚のパネル（ロ）、（ロ）・・・が継手を介して連結し、上枠（ハ）、下枠（ニ）、及び両縦枠（ホ）、（ホ）を枠組みした枠体（ヘ）に装着され、折畳み扉（イ）の上端に取付けた吊車（ト）、（ト）・・・を介して上枠（ハ）に吊設されている。
【０００３】
折畳み式扉（イ）の先端には引手框（チ）が連結しており、該引手框（チ）を握って折畳み式扉（イ）を伸縮することで、間口（ヌ）は開閉することが出来る。従って、枠体（ヘ）にて構成される間口（ヌ）に折畳み式扉（イ）が装着され、パネル（ロ）、（ロ）・・・が上枠（ハ）及び下枠（ニ）と接触しないで折畳み式扉（イ）の伸縮動作が出来るように、適度なクリアランス（隙間）を設けている。
【０００４】
ところで、折畳み式扉（イ）は枠体（ヘ）の上枠（ハ）に吊車（ト）を介して吊設されているが、枠体（ヘ）の建付け工事の不具合によって、折畳み式扉（イ）の下端が下枠（ニ）に接触する場合がある。また、多くのパネル（ロ）、（ロ）・・・を連結した重い折畳み式扉（イ）の場合、長い年月の経過と共に上枠（ハ）が撓んで折畳み式扉（イ）の下端が下枠（ニ）に接触する場合もある。さらには、地震などの揺れによって枠体（ヘ）が歪んで、折畳み式扉（イ）の下端が下枠に接触して開閉操作に支障を生じることもある。
【０００５】
吊車（ト）、（ト）・・・が取付けられている継手の下端にはスライダー（ル）が設けられ、該スライダー（ル）は下枠（ニ）に形成しているガイド溝（オ）に遊嵌している。
図５はスライダー（ル）が下枠（ニ）に形成しているガイド溝（オ）に遊嵌している場合を示している。このような構造のスライダー（ル）には、該スライダー（ル）の降下を防止することは出来ず、その為に、枠体（ヘ）の歪や上枠（ハ）の撓みによって折畳み式扉（イ）が降下するならば、下枠（ニ）との隙間（ワ）が無くなって折畳み式扉（イ）の下端が下枠（ニ）に接触することになる。
【０００６】
実開平７−３５６７７号に係る「戸車の構造」は、シンプルな構造で、部品点数も少なく、製造、組立が容易であり、しかも、車輪のレベル調整が、引戸側方から容易且つ安定した状態で行えるようにしている。
すなわち、戸車ケース内に車輪支持筺を装備し、車輪支持筺に車輪を軸支して、戸車ケースに対する車輪の高さ調節をするように構成している。
【０００７】
特開平７−１７３９６５号に係る「敷 居」は、引戸の走行路となる敷居であって、建具枠にひずみやゆがみが生じても、容易に矯正することができる敷居である。
支持部材を建築物の構造部材又は床部材に固定し、この支持部材に、引戸の走行路となる引戸受材を嵌め合わせる。このとき引戸受材は支持部材に対して上下方向に移動が可能に嵌め合わされており、引戸受材に螺合された高さ調整ねじを回転することにより、支持部材に対して上下に高さが調整される。
また、高さ調整ねじは引戸受材内に頭部を埋没した状態で、上方から回転させることができるものであり、容易に高さの調整ができるとともに、高さ調整ねじの頭部が引戸の開閉に支障を生じることもない。
【０００８】
このように、車輪の高さを調整したり又は敷居の高さを調整することで、引戸を対象とした高さ調整を行う技術は色々知られている。しかし、調整作業は面倒であり、特に本発明が対象とする折畳み式扉の場合であれば、該折畳み式扉を吊設する吊車の高さ調整が出来ない場合もある。
【特許文献１】実開平７−３５６７７号に係る「戸車の構造」
【特許文献２】特開平７−１７３９６５号に係る「敷 居」
【発明の開示】
【発明が解決しようとする課題】
【０００９】
このように、従来の折畳み式扉装置には上記のごとき問題がある。本発明が解決しようとする課題はこの問題点であり、枠体の歪などが原因で折畳み式扉が降下する場合、折畳み式扉の下端が下枠に接しないようにスライダーにて支えることが出来る折畳み式扉装置を提供する。
【課題を解決するための手段】
【００１０】
本発明に係る折畳み式扉装置は、折畳み式扉を吊車を介して上枠に吊設し、下端に取付けたスライダーが下枠に形成したガイド溝に沿って移動するように構成したもので、基本的な形態は従来の折畳み式扉装置と同じである。ところで、折畳み式扉の継手下端に取付けたスライダーにはガイドローラの他に支持ローラを備え、支持ローラの外径はガイドローラの外径より僅かに小さく、そして長さ（高さ）は大きく成っている。すなわち、支持ローラはガイドローラより下方へ延び、何らかの原因でスライダーが降下した際には、上記支持ローラの外周がガイド溝の底部コーナーに形成した支持縁に当接するようにしている。
【００１１】
ガイドローラ及び支持ローラは折畳み式扉の継手下端に取着される基台に回転可能に取付けられ、支持ローラが上記支持縁に接することで、上記基台が下枠に接することがない隙間（クリアランス）を残している。ここで、支持縁はガイド溝の底部片側コーナーに設けられ、その為に、支持縁に接した支持ローラは折畳み式扉を支え、折畳み式扉の伸縮動作に伴ってスムーズに回転することが出来る。
ここで、支持ローラはガイドローラの間に軸支され、両ガイドローラはガイド溝の内面に接して回転するが、外径の小さい支持ローラはガイド溝の内面に接することはない。
【発明の効果】
【００１２】
折畳み扉の継手下端に取付けたスライダーは、ガイドローラの他に支持ローラを備えている。該支持ローラはその外径をガイドローラより僅かに小さくすると共に、その長さは大きく成っていて、ガイドローラより下方へ長く延びている。したがって、折畳み式扉が何らかの原因で降下した場合、上記支持ローラはガイド溝の底部片側コーナーに形成している支持縁に当たって支持し、該折畳み式扉のそれ以上の降下が阻止される。
【００１３】
したがって、折畳み式扉の降下によってスライダー装置の基台が下枠に接することはなく、支持ローラ外周は支持縁に当たって回転し、折畳み式扉の開閉操作は常にスムーズに行うことが出来る。支持ローラはその外径がガイドローラより小さく、支持縁に接した場合に該支持縁と対向する側のガイド溝内面に接することはなく、その為に、折畳み式扉の開閉操作に伴うスライダーの移動に支障を来すことはない。
【図面の簡単な説明】
【００１４】
【図１】本発明の折畳み扉装置に取付けるスライダーを示す実施例で、（ａ）は正面図、（ｂ）は底面図。
【図２】スライダーに軸支したローラが下枠に設けたガイド溝に遊嵌している場合。
【図３】スライダーが降下して軸支した支持ローラが下枠に設けたガイド溝の底部コーナー支持縁に接している場合。
【図４】折畳み扉装置の外観図で、（ａ）は折畳み扉が伸長して間口を閉じている場合、（ｂ）は折畳み扉が折畳まれて間口が開口している場合。
【図５】折畳み扉の継手部材下端に取付けたスライダーがガイド溝に遊嵌して場合。
【発明を実施するための形態】
【００１５】
図１は本発明の折畳み式扉に取付けるスライダー１を示す実施例であり、（ａ）は正面図、（ｂ）は底面図をそれぞれ表している。同図の２は基台、３ａ，３ｂはガイドローラ、４は支持ローラを示し、これら各ローラは上下方向に延びる軸を中心として基台２の底面に回転出来るように軸支されている。ここで、上記支持ローラ４は両ガイドローラ３ａ，３ｂの間に取付けられ、そして、該支持ローラ４の外径はガイドローラ３ａ，３ｂより僅かに小さく、しかし支持ローラ４の長さ（高さ）はガイドローラ３ａ，３ｂより大きくなっている。
【００１６】
したがって、支持ローラ４はガイドローラ３ａ，３ｂより下方へ長く延び、その下端はガイドローラ３ａ，３ｂより下方に位置している。勿論、支持ローラ４の長さをガイドローラ３ａ，３ｂより長くしなくても、支持ローラ４を取付ける軸を長くすることで、その下端をガイドローラ３ａ，３ｂより下方に位置することも出来る。
このように構成したスライダー１は継手部材の下端に取付けられる。そこで、基台２から上方へ嵌入部５が延び、該嵌入部５が継手部材の穴に嵌ってネジ止めされる。
【００１７】
図２は折畳み式扉の継手部材の下端にスライダー１を取付けた場合を示し、そして該スライダー１のガイドローラ３及び支持ローラ４は下枠６に形成したガイド溝７に遊嵌している状態を表している。ここで、本発明は下枠６の具体的な形態は特に限定しないが、ガイド溝７の底部片側コーナーには支持縁８を設けている。該支持縁８は底部のコーナーに設けられ、底部９と側部１０を繋いで構成している。
【００１８】
図２に示すスライダー１は折畳み式扉が降下していない正規の位置であり、その為に、下枠６の上面１１と該スライダー１の基台下面１２との間には適度な隙間１３が介在し、折畳み式扉の伸縮動に伴ってスライダー１が移動しても下枠６に接することはない。したがって、折畳み式扉の開閉操作はスムーズの行うことが出来る。
【００１９】
ところが、地震によって枠体が歪んで上枠が撓んだ場合、又は非常に重い折畳み式扉を吊設することで時の経過に伴って上枠が撓んだ場合、継手部材の下端に取付けたスライダー１は降下し、下枠６との間の隙間１３は小さくなる。しかし、本発明のスライダー１は下枠６に接しないように構成している。図３はスライダー１が降下して下枠６との間の隙間１３が小さく成った場合であり、しかし該スライダー１は下枠６の上面１１に接することがないように構成している。
【００２０】
すなわち、ガイドローラ３及び支持ローラ４は共にガイド溝７に遊嵌しているが、スライダー１が降下するならば、ガイドローラ３より下方へ延びている支持ローラ４がガイド溝７の底部コーナーに形成している支持縁８に接してスライダー１を支えることが出来る。従って、下枠６とスライダー１の基台２との間の隙間が０になることがないように、支持ローラ４の下端位置を設定している。
【００２１】
ところで、２個のガイドローラ３ａ，３ｂは下枠６に形成しているガイド溝７に遊嵌しており、ガイドローラ３ａ、３ｂの外径はガイド溝７の幅寸法に対して僅かに小さくなっている。従って、折畳み式扉の伸縮動作時には、ガイドローラ３ａ，３ｂはガイド溝７の何れか片方の側部内面に接して回転する。これに対して、両ガイドローラ３ａ，３ｂに挟まれて外径の小さい支持ローラ４は前記図２の通常状態では回転しないが、支持縁８に接することで始めて回転するようになる。
【００２２】
支持ローラ４はガイドローラ３よりその外径が小さく、その為にガイド溝７の両側部１０，１０の内面に接することはない。スライダー１は上方へ延びる嵌入部５が継手部材の穴に嵌って取着されているが、ガイド溝７に遊嵌した際にその向きが変化しないように２個のガイドローラ３ａ，３ｂを備え、２個のガイドローラ３ａ，３ｂの間に取付けた支持ローラ４は正しく位置決めされてガイド溝７に遊嵌している。
【００２３】
そして、スライダー１が降下して底部コーナーに形成した支持縁８に支持ローラ４が接することで回転するようになる。両ガイドローラ３ａ，３ｂの間に取付けられた支持ローラ４は支持縁８と対向する側の側部内面には接しない為に、支持ローラ４の回転が阻害されることはない。すなわち、スライダー１が降下して支持ローラ４が支持縁８に接した場合であっても、折畳み式扉の伸縮操作はスムーズに行うことが出来る。
【符号の説明】
【００２４】
１   スライダー
２   基台
３   ガイドローラ
４   支持ローラ
５   嵌入部
６   下枠
７   ガイド溝
８   支持縁
９   底部
10   側部
11  上面
12  下面
13  隙間
【図２】
2016030946.tif 000003
【図３】
2016030946.tif 000004
【図４】
2016030946.tif 000005
【図５】
2016030946.tif 000006
【図１】
2016030946.tif 000007